(57)【要約】【課題】  机の仕切板に電気器具などを取り付ける際に、電気器具から延びるケーブル類を見栄え良く配線できるようにすること。【解決手段】  天板２の上面に立設された左右方向を向くメイン仕切板２９の上部に設けられた電気器具４０からの配線を処理する机１における配線処理装置であって、メイン仕切板２９の左右側に管状の支柱５を立設するとともに、メイン仕切板２９の上部に左右の支柱５に両端が連結された横連結杆１９を設け、メイン仕切板２９の少なくとも左右いずれか一方の側端縁に切欠部３３を形成して対向する支柱５上部とメイン仕切板２９上部とを離間させ、支柱５上部におけるメイン仕切板２９上部との対向面に、支柱５の内部空間に連通する配線挿通孔４４を設けた。【選択図】  図５
2005131199.tif 000002
【特許請求の範囲】
【請求項１】
天板の上面に立設された左右方向を向くメイン仕切板の上部に設けられた電気器具からの配線を処理する机における配線処理装置であって、前記メイン仕切板の左右側に管状の支柱を立設するとともに、前記メイン仕切板の上部に前記左右の支柱に両端が連結された横連結杆を設け、前記メイン仕切板の少なくとも左右いずれか一方の側端縁に切欠部を形成して対向する支柱上部とメイン仕切板上部とを離間させ、前記支柱上部における前記メイン仕切板上部との対向面に、前記支柱の内部空間に連通する配線挿通孔を設けたことを特徴とする机における配線処理装置。
【請求項２】
前記メイン仕切板の左右側端縁には、前後方向を向くサイド仕切板が前記支柱と隣接するように天板の上面に立設されるとともに、前記サイド仕切板の上端縁と前記横連結杆下面との間に離間部を形成し、前記配線挿通孔を、その少なくとも一部が前記離間部に対向するように配置した請求項１に記載の机における配線処理装置。
【請求項３】
前記天板の上面に、前記支柱で上方を覆われる挿通孔を設けた請求項１または２に記載の机における配線処理装置。
【請求項４】
前記支柱の前記メイン仕切板と反対側の側面に、前記支柱の内部空間を開放するための開口を設け、該開口を開閉するための閉塞部材を着脱自在に取り付けた請求項１ないし３のいずれかに記載の机における配線処理装置。
【発明の詳細な説明】
【技術分野】
【０００１】
本発明は、天板上に立設した正面仕切板に取り付けた電気器具からの配線を処理する机における配線処理装置に関する。
【背景技術】
【０００２】
従来、オフィスや図書館等において、各個人の机の目隠しのために、机の天板面を前後に仕切る仕切板を立設することがある（例えば特許文献１参照）。
【０００３】
また、天板上を明るくするために、仕切板の上部に、特許文献２の図９に記載されているような上部フレーム（横フレーム）を設け、これに、特許文献２の図１０に記載されているのと同様の照明器具を取り付けることがある（例えば、特許文献２参照）。
【０００４】
【特許文献１】特開平１１−１５５６４８号公報（第３頁、第１図）
【特許文献２】特開２００２−１３８６０９号公報（第５頁、第９、１０図）
【発明の開示】
【発明が解決しようとする課題】
【０００５】
しかしながら、特許文献１の仕切板に特許文献２の照明器具などの電気器具を取り付けるためには、電気器具から延びるケーブル類を天板の下方に配置されているコンセントまで配線する必要があり、その際に、電気器具のケーブル類を外部に露出させたまま配線すると見栄えが悪くなることがある。
【０００６】
本発明は、このような問題点に着目してなされたもので、仕切板に電気器具などを取り付ける際に、電気器具から延びるケーブル類を見栄え良く配線できる机における配線処理装置を提供することを目的とする。
【課題を解決するための手段】
【０００７】
上記課題を解決するために、本発明の請求項１に記載の机における配線処理装置は、天板の上面に立設された左右方向を向くメイン仕切板の上部に設けられた電気器具からの配線を処理する机における配線処理装置であって、前記メイン仕切板の左右側に管状の支柱を立設するとともに、前記メイン仕切板の上部に前記左右の支柱に両端が連結された横連結杆を設け、前記メイン仕切板の少なくとも左右いずれか一方の側端縁に切欠部を形成して対向する支柱上部とメイン仕切板上部とを離間させ、前記支柱上部における前記メイン仕切板上部との対向面に、前記支柱の内部空間に連通する配線挿通孔を設けたことを特徴としている。
この特徴によれば、メイン仕切板の上部に設けられる電気器具から延びるケーブル類を、支柱上部に形成された配線挿通孔から管状の支柱の内部空間に挿通させて配線することができるため、ケーブル類が外部に露出しないので、机の見栄えを損なうことなく配線ができるようになる。
【０００８】
本発明の請求項２に記載の机における配線処理装置は、請求項１に記載の机における配線処理装置であって、前記メイン仕切板の左右側端縁には、前後方向を向くサイド仕切板が前記支柱と隣接するように天板の上面に立設されるとともに、前記サイド仕切板の上端縁と前記横連結杆下面との間に離間部を形成し、前記配線挿通孔を、その少なくとも一部が前記離間部に対向するように配置したことを特徴としている。
この特徴によれば、離間部から管状の支柱内部に配線することが可能になるとともに、サイド仕切板によって、配線挿通孔を外部から見え難くすることができるようになる。
【０００９】
本発明の請求項３に記載の机における配線処理装置は、請求項１または２に記載の机における配線処理装置であって、前記天板の上面に、前記支柱で上方を覆われる挿通孔を設けたことを特徴としている。
この特徴によれば、電気器具から延びるケーブル類を支柱内部から天板の下面側までの間で外部に露出させることなく配線することができるので、机の美観が向上する。
【００１０】
本発明の請求項４に記載の机における配線処理装置は、請求項１ないし３のいずれかに記載の机における配線処理装置であって、前記支柱の前記メイン仕切板と反対側の側面に、前記支柱の内部空間を開放するための開口を設け、該開口を開閉するための閉塞部材を着脱自在に取り付けたことを特徴としている。
この特徴によれば、支柱におけるメイン仕切板と反対側の側面に形成された開口を介してケーブル類を配線することができるため、メイン仕切板に干渉することなく容易に配線を行うことができるばかりか、開口を閉塞部材により閉塞することでケーブル類が外部に露出することがなく、机の美観が向上する。
【発明を実施するための最良の形態】
【００１１】
以下、本発明の実施形態を図面に基づいて説明すると、先ず図１は、本発明を適用した机（テーブルも含む）の斜視図であり、図２は、机の分解斜視図であり、図３は、ベース部材取付部の縦断側面図であり、図４は、図３におけるIV−IV線に沿う横断平面図であり、図５は、図１におけるＶ−Ｖ線の縦断正面図である。
【００１２】
図１に示すように、机１の天板２は、左右方向に長い長方形をなし、その下面の四隅部に取り付けられた４本の脚柱３により支持されている。天板２の左右両側端部における前後方向（以下、図１の斜め右手前を前として説明する）の中央部上面には、アルミニウム合金製のベース部材４を介して１対の支柱５が立設されている。
【００１３】
図２に示すように、左右の支柱５の上端部間には、横連結杆１９が、スペーサ２０を介して、支柱５の上端部の凹条溝１１内より挿入した上下２本のねじ２１により固定されている。この横連結杆１９は、アルミニウム合金等の押し出し成形品よりなっており、横連結杆１９は、側面視ほぼ中空の矩形断面をなし、その前後両面には、上下２条の係止溝２２が、前後対称的の長手方向に全長にわたって形成され、また下面の中央には、下方が開口する上向きの嵌合溝２４が、長手方向に全長にわたって形成されている。横連結杆１９の前後両面には、その係止溝２２を利用して、電気器具としての照明器具４０が取り付けられている。
【００１４】
横連結杆１９の嵌合溝２４と対向する天板２の中央部上面には、左右方向を向く凹溝２５が形成され、この凹溝２５には、左右方向を向く側面視凹状の保持溝２６を有するとともに、その上端の開口縁より前後反対方向に延出する当接片２７を有する保持部材２８が、両当接片２７の下面を天板２の上面に当接させて嵌着されている。保持部材２８の左右寸法は、左右のベース部材４の下端間の離間寸法とほぼ等しく、また保持溝２６と嵌合溝２４の前後寸法は等幅とされ、かつ上下に垂直に対向している。
【００１５】
横連結杆１９の嵌合溝２４と保持部材２８の保持溝２６には、透明又は半透明の透光性を有するアクリル等の材質により形成されているメインパネル２９の上下の端部が嵌合されており、このメインパネル２９は、左右の側端面が支柱５の内側面と当接又は近接するように設けられている。
【００１６】
図２を用いて詳述すると、天板２の左右両端部と中間部には、天板２の上面を左右方向に仕切る、複数のサイドパネル３０が立設されており、このサイドパネル３０は、メインパネル２９と同材質の透光性を有するアクリル等の材質により形成されている。メインパネル２９の左右方向の中間部には、上端から中央部に至るスリット状の凹溝３１が下向きに形成され、各サイドパネル３０の前後方向の中央部には、下端から中央部に至るスリット状の凹溝３２が上向きに形成されている。
【００１７】
横連結杆１９を支柱５に取り付ける前において、メインパネル２９の凹溝３１に、サイドパネル３０の凹溝３２を上方より嵌合することにより、サイドパネル３０は、メインパネル２９の中間部に互いに直交状に交差して連結される。連結後においてサイドパネル３０の上端縁は、横連結杆１９の取付時に、横連結杆１９の下面と当接しないように、メインパネル２９の上端より若干下方に位置するようになっている。
【００１８】
更に、図２に示すように、メインパネル２９の側端面の上半部には、切欠凹部３３が形成され、この切欠凹部３３と支柱５の内側面との対向面間に上記と同様の下向きの凹溝（図５参照）を形成し、この凹溝にサイドパネル３０の凹溝３２を上方より嵌合することにより、メインパネル２９の側端にサイドパネル３０が直交状に連結される。各サイドパネル３０の前後両端の下部は、天板２の上面に固定された合成樹脂製の保持具３４により挟持されている。
【００１９】
ベース部材４は、図３及び図４にも示すように、平面形が支柱５の断面形より大きな前後方向に長い長円形をなし、上面中央は平坦面となっている。このベース部材４の前後の下面には、下端が開口する雌ねじ孔６を有する下向突部７が連設され、両下向突部７を天板２に穿設された通孔８に嵌合し、その下方よりワッシャ９を介して挿入したねじ１０を、下向突部７の雌ねじ孔６に螺合することにより、ベース部材４は天板２の上面に固定されている。
【００２０】
図４に示すように、支柱５は、外側面の中央部に上下方向を向く凹条溝１１を有するほぼＣ字状断面をなし、アルミニウム合金等により形成されている。支柱５の側面の開口部には、合成樹脂製の閉塞部材としてのカバー１２が着脱可能に嵌着されている。支柱５の上部近傍には、照明器具４０から延びる電源ケーブル４３等を挿通できる配線挿通孔４４が貫設されており、支柱５は、カバー１２が嵌着されることで管状をなし、配線挿通孔４４から挿通させた電源ケーブル４３を、支柱５内部の凹条溝１１に配線させることができるようになっている。
【００２１】
図３に示すように、支柱５は、ベース部材４を天板２に取り付ける前において、ベース部材４の中央の上面に、それに穿設した前後２個の通孔１３の下方より挿入したねじ１４を支柱５の下端部の雌ねじ孔１５に螺合することにより、固着されている。また、支柱５の上端は、キャップ部材１６を止着することにより閉塞されている。
【００２２】
ベース部材４の中央とその下方の天板２には、挿通孔１７、１８が貫設され、支柱５の凹条溝１１内に収容して配線された、照明器具４０から延びる電源ケーブル４３を下方に挿通し得るようになっている。
【００２３】
図５に示すように、メインパネル２９の左右側端縁部に形切欠凹部３３が形成されていることで、支柱５上部とメインパネル２９上部とが離間されている。また、サイドパネル３０の上端縁と横連結杆１９下面との間も離間されており、離間部としての間隙Ｄが形成されている。このようにメインパネル２９の左右側端縁部に切欠凹部３３が形成されているとともに、サイドパネル３０の上端縁と横連結杆１９下面との間に間隙Ｄが形成されていることで、配線挿通孔４４が露呈して電源ケーブル４０を配線することが可能となっている。また、配線挿通孔４４の一部がサイドパネル３０と重なっており、そのため配線挿通孔４４を外部から見え難くすることができるようになっている。
【００２４】
更に、配線挿通孔４４に挿通されて支柱５内部の凹条溝に配線された電源ケーブル４３は、ベース部材４に形成された挿通孔１７と天板２に形成された挿通孔１８とに挿通され、天板２の下面側に設けられている配線ダクト４５まで配線されるようになっている。
【００２５】
図５を用いて説明すると、支柱５に形成された凹条溝１１に嵌着されているカバー１２は、支柱５の上端に取り付けられているキャップ部材１６を取り外し、上方にスライドさせることで取り外すことが可能となっており、電源ケーブル４３の配線作業やメンテナンス作業を行うことが容易となっている。
【００２６】
本発明の机における配線処理装置によれば、横連結杆１９に取り付けられた照明器具４０から延びる電源ケーブル４３等を配線するときに、支柱５上部の配線挿通孔４４から支柱５内部に挿通させることで配線することが可能になり、電源ケーブル４３を外部に露出させることなく、支柱５内部から天板２の下方に配線させることができるので、机の見栄えを損なうことなく配線の処理が行えるようになっている。
【００２７】
また、配線挿通孔４４は支柱５における横連結杆１９の下面位置近傍に形成されていることで、横連結杆１９に配置された照明器具４０から延びる電源ケーブル４３を支柱５の上部から支柱内部に収容することができるため、メインパネル２９の前面側に電源ケーブル４３が露出して外観体裁が損なわれることを防止できる。また、支柱５には配線可能な凹条溝１１が上下方向にわたって形成されており、上部の配線挿通孔４４から内部に挿通した電源ケーブル４３を天板２まで配線することができるため、メインパネル２９の上部に配置された照明器具４０から延設される電源ケーブル４３を外部に露出させることなく天板２の下面側まで配線することができる。
【００２８】
また、横連結杆１９やメインパネル２９やサイドパネル３０に配線用の加工を施すことなく、照明器具４０からの電源ケーブル４３を配線することができるので、机１の製造コストを抑えることができるようになっている。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、上記実施例では、机の配線処理の対象として電源ケーブルを用いたが、本発明はこれに限定されるものではなく、パソコン等に接続されるＬＡＮケーブルや光ファイバーケーブルを配線処理の対象としてもよい。
【００３１】
また、上記実施例では、机に設けられている電気器具として照明器具を用いて説明したが、本発明はこれに限定されるものではなく、ＬＡＮケーブルが接続されるＨＵＢ等の情報機器であってもよいし、液晶モニターなどであってもよい。
【図面の簡単な説明】
【００３２】
【図１】本発明を適用した机の斜視図である。
【図２】机の分解斜視図である。
【図３】ベース部材取付部の縦断側面図である。
【図４】図３のIV−IV線に沿う横断平面図である。
【図５】図１のＶ−Ｖ線の縦断正面図である。
【符号の説明】
【００３３】
１            机
２            天板
３            脚柱
４            ベース部材
５            支柱
６            雌ねじ孔
７            下向突部
８            通孔
９            ワッシャ
１０          ねじ
１１          凹条溝
１２          カバー
１３          通孔
１４          ねじ
１５          雌ねじ孔
１６          キャップ部材
１７、１８    挿通孔
１９          横連結杆
２０          スペーサ
２１          ねじ
２２          係止溝
２４          嵌合溝
２５          凹溝
２６          保持溝
２７          当接片
２８          保持部材
２９          メインパネル（メイン仕切板）
３０          サイドパネル（サイド仕切板）
３１、３２    凹溝
３３          切欠凹部（切欠部）
３４          保持具
４０          照明器具
４３          電源ケーブル
４４          配線挿通孔
４５          配線ダクト
Ｄ            間隙
【図１】
2005131199.tif 000003
【図２】
2005131199.tif 000004
【図３】
2005131199.tif 000005
【図４】
2005131199.tif 000006
【図５】
2005131199.tif 000007